(57)【要約】【課題】空気の流量を十分に確保することのできる空気冷却装置を提供する。【解決手段】空気冷却装置１０は、相変化する蓄冷材ＰＦが内部に充填された容器であって、互いに対向する第１壁１１０及び第２壁１２０を有する蓄冷容器１００と、第１壁１１０に外側から取り付けられており、第１壁１１０を介して蓄冷材ＰＦの冷却を行うペルチェ素子３００と、第２壁１２０の外側に形成された複数のフィン１４０と、を備える。空気冷却装置１０では、フィン１４０に沿って空気の流れる流路ＦＰが形成されている。また、空気冷却装置１０では、フィン１４０の表面において生じた凝縮水ＷＴによって、流路ＦＰにおける空気の流れが妨げられてしまうことを防止する通風路確保部、が形成されている。【選択図】図３
2018105531.tif 000002
【特許請求の範囲】
【請求項１】
空気の冷却を行う空気冷却装置（１０）であって、
相変化する蓄冷材（ＰＦ）が内部に充填された容器であって、互いに対向する第１壁（１１０）及び第２壁（１２０）を有する蓄冷容器（１００）と、
前記第１壁に外側から取り付けられており、前記第１壁を介して前記蓄冷材の冷却を行う温調部（３００）と、
前記第２壁の外側に形成された複数のフィン（１４０）と、を備え、
前記フィンに沿って空気の流れる流路（ＦＰ）が形成されており、
前記フィンの表面において生じた凝縮水（ＷＴ）によって、前記流路における空気の流れが妨げられてしまうことを防止する通風路確保部（４１０，４２０，４３０，４４０，４５０，４６０，４７０，４８０）、が形成されている空気冷却装置。
【請求項２】
前記通風路確保部は、前記流路のうち空気の流れ方向における下流側の部分であって、
当該部分における前記流路の流路断面積が、他の部分における前記流路の流路断面積よりも大きくなっている、請求項１に記載の空気冷却装置。
【請求項３】
前記通風路確保部においては前記フィンの高さが高くなっており、これにより当該部分における前記流路の流路断面積が大きくなっている、請求項２に記載の空気冷却装置。
【請求項４】
前記通風路確保部においては前記フィンの厚さが小さくなっており、これにより当該部分における前記流路の流路断面積が大きくなっている、請求項２又は３に記載の空気冷却装置。
【請求項５】
前記流路は、空気の流れ方向における下流に行くに従って、その流路断面積が次第に大きくなるように形成されている、請求項２乃至４のいずれか１項に記載の空気冷却装置。
【請求項６】
前記通風路確保部は、前記フィンの表面に形成された溝（４６０）である、請求項１に記載の空気冷却装置。
【請求項７】
前記溝は、前記フィンと前記第２壁との境界となる位置まで伸びている、請求項６に記載の空気冷却装置。
【請求項８】
前記通風路確保部は、
前記第２壁のうち空気の流れ方向における下流側の部分（４７０）であって、
前記フィンのうち空気の流れ方向における下流側の端部よりも、更に下流側となる位置まで伸びるように形成されている、請求項１に記載の空気冷却装置。
【請求項９】
前記通風路確保部は、
前記フィンのうち空気の流れ方向における下流側の部分（４８０）であって、
前記第２壁のうち空気の流れ方向における下流側の端部よりも、更に下流側となる位置まで伸びるように形成されている、請求項１に記載の空気冷却装置。
【請求項１０】
前記流路は上下方向に伸びており、
前記通風路確保部は、前記流路のうち下方側の部分であって、
当該部分における前記流路の流路断面積が、他の部分における前記流路の流路断面積よりも大きくなっている、請求項１に記載の空気冷却装置。
【請求項１１】
前記通風路確保部においては前記フィンの高さが高くなっており、これにより当該部分における前記流路の流路断面積が大きくなっている、請求項１０に記載の空気冷却装置。
【請求項１２】
前記通風路確保部においては前記フィンの厚さが小さくなっており、これにより当該部分における前記流路の流路断面積が大きくなっている、請求項１０又は１１に記載の空気冷却装置。
【請求項１３】
前記流路は、下方側に行くに従って、その流路断面積が次第に大きくなるように形成されている、請求項１０乃至１２のいずれか１項に記載の空気冷却装置。
【請求項１４】
前記流路は上下方向に伸びており、
前記通風路確保部は、
前記第２壁のうち下方側の部分であって、
前記フィンのうち下方側の端部よりも、更に下方側となる位置まで伸びるように形成されている、請求項１に記載の空気冷却装置。
【請求項１５】
前記流路は上下方向に伸びており、
前記通風路確保部は、
前記フィンのうち下方側の部分であって、
前記第２壁のうち下方側の端部よりも、更に下方側となる位置まで伸びるように形成されている、請求項１に記載の空気冷却装置。
【発明の詳細な説明】
【技術分野】
【０００１】
本開示は、空気の冷却を行う空気冷却装置に関する。
【背景技術】
【０００２】
相変化する蓄冷材を用いた空気冷却装置が知られている。このような空気冷却装置は、例えばペルチェ素子によって予め蓄冷材を冷却し凝固させておいた後、低温の蓄冷材によって空気を冷却することができる。
【０００３】
このような空気冷却装置によれば、ペルチェ素子等によって空気が直接（蓄冷材を介することなく）冷却される場合に比べて、空気から単位時間あたりに奪う熱量を大きくすることができる。また、蓄冷材の潜熱及び顕熱を用いて空気の冷却を行うので、冷却性能を長時間に亘って維持することができる。
【０００４】
下記特許文献１には、上記のような空気冷却装置の一例である電子冷却装置について記載されている。当該電子冷却装置は、蓄冷材（相変化材料）を内部に収容する容器と、当該容器の上面において空気を冷却するためのヒートシンクとを備えている。ヒートシンクには、空気との接触面積を増加させるためのフィンが複数形成されている。冷却対象である空気は、隣り合うフィン同士の間に形成されたそれぞれの空間に沿って流れる。換言すれば、冷却対象である空気の流れる流路がフィンに沿って形成されている。
【先行技術文献】
【特許文献】
【０００５】
【特許文献１】特許第３９７９５３１号公報
【発明の概要】
【発明が解決しようとする課題】
【０００６】
上記特許文献１に記載された電子冷却装置のように、空気の流れる流路がフィンに沿って形成されているような構成の空気冷却装置においては、フィンの表面において多量の凝縮水（結露水）が生じ、凝縮水によって空気の流れが妨げられてしまうことがある。このような現象が生じると、空気冷却装置から吹き出される空気の風量が小さくなってしまう。これに加えて、凝縮水の一部が空気と共に外部に吹き出されてしまうこともある。
【０００７】
本開示は、空気の流量を十分に確保することのできる空気冷却装置、を提供することを目的とする。
【課題を解決するための手段】
【０００８】
本開示に係る空気冷却装置は、空気の冷却を行う空気冷却装置（１０）であって、相変化する蓄冷材（ＰＦ）が内部に充填された容器であって、互いに対向する第１壁（１１０）及び第２壁（１２０）を有する蓄冷容器（１００）と、第１壁に外側から取り付けられており、第１壁を介して蓄冷材の冷却を行う温調部（３００）と、第２壁の外側に形成された複数のフィン（１４０）と、を備える。この空気冷却装置では、フィンに沿って空気の流れる流路（ＦＰ）が形成されている。この空気冷却装置では、フィンの表面において生じた凝縮水（ＷＴ）によって、流路における空気の流れが妨げられてしまうことを防止する通風路確保部（４１０，４２０，４３０，４４０，４５０，４６０，４７０，４８０）、が形成されている。
【０００９】
このような空気冷却装置では、フィンの表面において凝縮水が生じた場合であっても、当該凝縮水により空気の流れが妨げられてしまうことが通風路確保部によって防止される。通風路確保部としては、例えば、発生した凝縮水の排出を促すための構成や、凝縮水の溜まりやすい部分において空気の流路断面積を広く確保するための構成等を採用することができる。
【００１０】
空気の流れが凝縮水によって妨げられるような現象が、通風路確保部によって確実に防止されるので、空気冷却装置を通過する空気の流量を十分に確保することができる。
【発明の効果】
【００１１】
本開示によれば、空気の流量を十分に確保することのできる空気冷却装置が提供される。
【図面の簡単な説明】
【００１２】
【図１】図１は、第１実施形態に係る空気冷却装置の外観を示す斜視図である。
【図２】図２は、図１に示される空気冷却装置から蓋を取り外した状態を示す図である。
【図３】図３は、図２のＩＩＩ−ＩＩＩ断面を示す断面図である。
【図４】図４は、図３において凝縮水が生じた状態を模式的に示す図である。
【図５】図５は、第１実施形態の変形例に係る空気冷却装置の構成を示す断面図である。
【図６】図６は、第２実施形態に係る空気冷却装置の構成を示す断面図である。
【図７】図７は、第２実施形態の変形例に係る空気冷却装置の構成を示す断面図である。
【図８】図８は、第３実施形態に係る空気冷却装置の構成を示す断面図である。
【図９】図９は、第３実施形態の変形例に係る空気冷却装置の構成を示す断面図である。
【図１０】図１０は、第４実施形態に係る空気冷却装置の一部を上面視で描いた図である。
【図１１】図１１は、第４実施形態の変形例に係る空気冷却装置の一部を上面視で描いた図である。
【図１２】図１２は、第５実施形態に係る空気冷却装置の一部を上面視で描いた図である。
【図１３】図１３は、第５実施形態の変形例に係る空気冷却装置の一部を上面視で描いた図である。
【図１４】図１４は、第６実施形態に係る空気冷却装置の構成を示す断面図である。
【図１５】図１５は、図１４に示される空気冷却装置のフィンを上面視で描いた図である。
【図１６】図１６は、第６実施形態の変形例に係る空気冷却装置の構成を示す断面図である。
【図１７】図１７は、第７実施形態に係る空気冷却装置の構成を示す断面図である。
【図１８】図１８は、第７実施形態の変形例に係る空気冷却装置の構成を示す断面図である。
【図１９】図１９は、第８実施形態に係る空気冷却装置の構成を示す断面図である。
【図２０】図２０は、第８実施形態の変形例に係る空気冷却装置の構成を示す断面図である。
【発明を実施するための形態】
【００１３】
以下、添付図面を参照しながら本実施形態について説明する。説明の理解を容易にするため、各図面において同一の構成要素に対しては可能な限り同一の符号を付して、重複する説明は省略する。
【００１４】
第１実施形態について説明する。第１実施形態に係る空気冷却装置１０は、空気を冷却するための装置として構成されている。図１においては、冷却対象である空気が流れる方をｘ方向としており、同方向に沿ってｘ軸を設定している。また、ｘ方向に対して垂直な方向であって、図１において左側から右側に向かう方向をｙ方向としており、同方向に沿ってｙ軸を設定している。更に、ｘ方向及びｙ方向のいずれに対しても垂直な方向であって、鉛直上方に向かう方向をｚ方向としており、同方向に沿ってｚ軸を設定している。特に説明のない限り、その他の図及び以下の説明においても同様である。
【００１５】
図１及び図２に示されるように、空気冷却装置１０は、蓄冷容器１００と、ペルチェ素子３００と、を備えている。
【００１６】
蓄冷容器１００は、その外形が概ね直方体となるように形成された容器である。蓄冷容器１００は、平板状の第１壁１１０と第２壁１２０とを有している。第１壁１１０は蓄冷容器１００のうち−ｚ方向側に配置されており、第２壁１２０は蓄冷容器１００のうちｚ方向側に配置されている。つまり、第１壁１１０と第２壁１２０とは上下に対向するように配置されている。ただし、これらは互いに平行とはなっていない。第１壁１１０は水平面に沿うように配置されているのに対し、第２壁１２０は水平面に対して傾斜するように配置されている（後に説明する図３を参照）。
【００１７】
図２には、空気冷却装置１０から後述の蓋２１０、２２０を取り外した状態が示されている。同図に示されるように、第１壁１１０の−ｙ方向側端部と第２壁１２０の−ｙ方向側端部とは、両者に対して垂直な側壁１５１によって接続されている。また、第１壁１１０のｙ方向側端部と第２壁１２０のｙ方向側端部とは、両者に対して垂直な側壁１５２によって接続されている。側壁１５１と側壁１５２とは互いに平行であり、且つ対向している。
【００１８】
蓄冷容器１００の内部には空間ＳＰが形成されている。また、この空間ＳＰには蓄冷材ＰＦ（図２では不図示。図３を参照）が充填されている。蓄冷材ＰＦは、温度に応じて相変化する流体である。本実施形態では、蓄冷材ＰＦとしてパラフィンが用いられている。本実施形態における蓄冷材ＰＦの融点は、外気温よりも低くなっている。蓄冷容器１００の側壁１５２には、外部から蓄冷材ＰＦを封入するための封入穴１０１が形成されている。蓄冷材ＰＦは、封入穴１０１を通じて外部から空間ＳＰ内に供給され充填されている。封入穴１０１は不図示の封止部材によって塞がれている。
【００１９】
蓄冷容器１００は、第１壁１１０、第２壁１２０、側壁１５１、側壁１５２からなる筒状の部材として形成されており、ｘ方向における両端部に形成された開口（空間ＳＰの端部である）のそれぞれが蓋２１０、２２０によって塞がれている。蓋２１０、２２０はいずれも板状の部材であって、蓄冷容器１００の端部に対してろう接されている。
【００２０】
ペルチェ素子３００は、第１壁１１０を介して蓄冷材ＰＦを冷却するためのものである。ペルチェ素子３００は、第１壁１１０の下面１１１（−ｚ方向側の面）の略全体に密着するように、第１壁１１０に対して外側から取り付けられている。ペルチェ素子３００によって第１壁１１０が冷却されると、第１壁１１０を介して蓄冷材ＰＦも冷却され、蓄冷容器１００の内部において蓄冷材ＰＦが凝固する。これにより、蓄冷材ＰＦへの「蓄冷」が行われる。このようなペルチェ素子３００は、本実施形態における「温調部」に該当する。
【００２１】
第２壁１２０の外側（ｚ方向側）の面である上面１２１には、複数のフィン１４０が形成されている。それぞれのフィン１４０は平板状に形成されており、上面１２１からｚ方向側に向けて突出している。それぞれのフィン１４０は互いに平行となっており、ｙ方向に沿って並んでいる。また、それぞれのフィン１４０の主面は、上面１２１に対して垂直となっており、且つ側壁１５１の主面に対して平行となっている。フィン１４０は、冷却対象である空気に直接触れることにより、空気の冷却を行う部分として機能する。フィン１４０が複数形成されていることで、空気との接触面積が大きくなっている。このため、空気冷却装置１０と空気との間における熱伝達が効率的に行われる。
【００２２】
本実施形態では、互いに隣り合うフィン１４０の間に形成された複数の空間が、冷却対象である空気の流れる流路ＦＰとなっている。流路ＦＰは、それぞれのフィン１４０に沿ってｘ方向に空気を流すための平板形の空間として形成されている。フィン１４０よりもｚ方向側となる位置には、流路ＦＰを区画するダクト（不図示）の天井が配置される。フィン１４０の上端面１４１（ｚ方向側の端面）は、その全体が当該天井に当接した状態となっている。
【００２３】
蓄冷容器１００の内部には、平板状の伝熱促進壁１３０が複数設けられている。それぞれの伝熱促進壁１３０は、第１壁１１０と第２壁１２０との間を繋ぐように設けられている。具体的には、それぞれの伝熱促進壁１３０は側壁１５１に対し平行な壁となっており、その下端が第１壁１１０に接続され、上端が第２壁１２０に接続されている。これにより、蓄冷容器１００の内部の空間ＳＰは、伝熱促進壁１３０によって複数に分けられている。
【００２４】
それぞれの伝熱促進壁１３０には、これをｙ方向に沿って貫くように円形の貫通穴１３５が形成されている（図３を参照）。上記のように複数に分けられた空間ＳＰは、その間にある伝熱促進壁１３０の貫通穴１３５によって互いに連通されている。このため、封入穴１０１を通じて外部から供給される蓄冷材ＰＦは、貫通穴１３５を通ってそれぞれの空間ＳＰに流入し、全ての空間ＳＰに充填される。
【００２５】
上記のような伝熱促進壁１３０が設けられていることにより、第１壁１１０や第２壁１２０の変形が抑制されている。ペルチェ素子３００が取り付けられる下面１１１が平坦に保たれるので、ペルチェ素子３００と下面１１１との間における熱抵抗を、全体で概ね均等な状態に維持することができる。これにより、ペルチェ素子３００の冷却性能が全体で均一に発揮される。
【００２６】
また、伝熱促進壁１３０が設けられていることにより、蓄冷容器１００と蓄冷材ＰＦとの接触面積が大きくなっている。その結果、蓄冷材ＰＦとペルチェ素子３００との間における伝熱、及び、蓄冷材ＰＦとフィン１４０との間における熱の伝達が、いずれも効率よく行われる。
【００２７】
図３は、図２のＩＩＩ−ＩＩＩ断面を示す断面図である。当該断面は、それぞれのフィン１４０や伝熱促進壁１３０に対して平行な断面となっている。図３においては、図２と同様に蓋２１０及び蓋２２０の図示が省略されている一方で、蓄冷材ＰＦが図示されている。
【００２８】
図３に示されるように、本実施形態における第２壁１２０は、その上面１２１の法線方向を、ｘ方向側に傾斜させた状態で配置されている。つまり、第２壁１２０は、第１壁１１０との距離（つまり空間ＳＰの高さ）がｘ方向側に行くほど小さくなるよう、水平面に対して傾斜した状態で配置されている。尚、図３においては、説明の便宜のために第２壁１２０の傾斜が誇張して描かれている。第２壁１２０が水平面に対してなす傾斜角度は、実際には図３に示される傾斜角度よりも小さい。
【００２９】
フィン１４０の上端面１４１は、第１壁１１０に対して平行な面（つまり水平面）となっている。このため、上端面１４１と上面１２１との距離、すなわちフィン１４０の高さは、空気の流れ方向における上流側（−ｘ方向側）で最も小さくなっており、空気の流れ方向における下流側（ｘ方向側）で最も大きくなっている。
【００３０】
上記のようなフィン１４０の高さは、「流路ＦＰの高さ」ともいうことができる。図３に示されるように、ｘ方向側端部における流路ＦＰの高さＨ１２は、−ｘ方向側端部における流路ＦＰの高さＨ１１よりも大きい。流路ＦＰの高さが下流側において大きくなっていることの効果については、後に説明する。
【００３１】
空気冷却装置１０の機能について説明する。空気冷却装置１０によって空気の冷却が行われる際には、予めペルチェ素子３００による蓄冷材ＰＦの冷却が行われる。これにより、蓄冷材ＰＦは凝固した状態となる。
【００３２】
その後、不図示のファンが動作することにより、流路ＦＰにおいて空気が流れている状態となる。当該空気はフィン１４０に沿ってｘ方向に流れる。このときのフィン１４０は、凝固した蓄冷材ＰＦによって低温となっている。このため、フィン１４０に沿って流れる空気の熱は、フィン１４０及び第２壁１２０を介して蓄冷材ＰＦに伝えられる。つまり、流路ＦＰでは空気からの吸熱が行われる。これにより、蓄冷材ＰＦが加熱されるとともに、フィン１４０に沿って流れる空気が冷却される。空気は、フィン１４０に沿って流れる際においてその温度を低下させた後、外部に放出される。
【００３３】
尚、蓄冷材ＰＦは上記のように加熱されるのであるが、その熱は蓄冷材ＰＦを溶解させるために用いられるので、蓄冷材ＰＦは長時間に亘って低温の状態に保たれる。このため、空気の冷却を長時間に亘って行うことができる。また、蓄冷材ＰＦの潜熱及び顕熱を用いて空気の冷却が行われるので、ペルチェ素子３００によって直接空気の冷却が行われる場合に比べて、単位時間あたりに空気から奪われる熱量（つまり空気冷却装置１０の冷却性能）も大きくなっている。
【００３４】
このような空気冷却装置１０は、例えば、車両に設けられる眠気抑制装置に応用することができる。眠気抑制装置では、ダクトを通る際において空気冷却装置１０によって低温となった空気を、車両の運転者に吹き付けることにより運転者を覚醒させ、これにより居眠り運転を防止することが可能となる。
【００３５】
ところで、流路ＦＰを流れる空気がフィン１４０に触れて冷却される際には、空気に含まれる水蒸気が結露することによって、フィン１４０の表面で凝縮水が生じることがある。本実施形態では、それぞれの流路ＦＰがフィン１４０に挟まれた狭い空間となっているので、当該空間が広範囲によって凝縮水で満たされてしまい、流路ＦＰにおける空気の流れが妨げられてしまうことが懸念される。空気の流れが凝縮水によって妨げられると、空気冷却装置１０を通って吹き出される空気の流量が低下したり、凝縮水の一部が空気と共に吹き出されたりしてしまうので好ましくない。そこで、本実施形態に係る空気冷却装置１０では、流路ＦＰの形状を工夫することによって上記の問題を解決している。
【００３６】
既に述べたように、空気冷却装置１０では、流路ＦＰの高さが上流側において最も小さくなっており、下流側に行くほど大きくなっている。このため、流路ＦＰのうち空気の流れ方向における下流側の部分（以下では、「下流部４１０」とも称する）の流路断面積は、流路ＦＰの他の部分、すなわち上流側の部分における流路断面積よりも大きくなっている。
【００３７】
図４には、流路ＦＰにおいて凝縮水ＷＴが生じた状態が模式的に示されている。尚、図４においても図３と同様に、蓋２１０及び蓋２２０の図示が省略されている。凝縮水ＷＴは、空気の流れによってｘ方向側に押し流される傾向があるため、流路ＦＰのうちｘ方向側の部分、すなわち下流部４１０において多く貯留されやすい。その結果、下流部４１０においては、流路ＦＰのうち第２壁１２０寄りの部分が、凝縮水ＷＴによって塞がれた状態となっている。ただし、下流部４１０においては流路ＦＰの高さが高くなっているので、凝縮水ＷＴよりも上方側部分では、空気が通過し得る空間が広く確保されている。
【００３８】
図４に示される一点鎖線ＤＬ１は、上面１２１のうち−ｘ方向側の端部を通り、且つ上端面１４１と平行な仮想的な平面を表している。流路ＦＰにおいて生じた凝縮水ＷＴは、上記のようにその多くが（流路目断面積の大きい）下流部４１０に貯留される。従って、多くの場合、流路ＦＰのうち一点鎖線ＤＬ１よりも上方側の部分では、凝縮水ＷＴによって流路ＦＰが塞がれた状態とはならず、空気が通過し得る空間が確保される。
【００３９】
このように、本実施形態では、下流部４１０における流路断面積が、その他の部分における流路断面積よりも大きくなっているので、凝縮水ＷＴによって空気の流れが妨げられてしまうことが防止されている。つまり、凝縮水ＷＴに起因した通風抵抗の増加が抑制されている。
【００４０】
このように形成された下流部４１０は、本実施形態における「通風路確保部」に該当する。尚、本実施形態では、空気の流れ方向における下流側に行くに従って流路ＦＰの流路断面積が次第に大きくなっている。このような構成においては、流路ＦＰのうち下流部４１０とそれ以外の部分との間の境界を明確に定めることはできないのであるが、例えば、流路ＦＰのうちｘ方向における中央よりも下流側の部分を、下流部４１０（通風路確保部）とみなすことができる。
【００４１】
本実施形態では、上面１２１の全体がｘ方向側に向かって下り傾斜となるように形成されている。このため、上面１２１に沿った凝縮水ＷＴの排出が促進される結果、凝縮水ＷＴに起因した通風抵抗の増加が更に抑制されるという効果も得られる。
【００４２】
第１実施形態の変形例について、図５を参照しながら説明する。この変形例では、流路ＦＰを空気が流れる方向が、ｚ方向、すなわち下方側から上方側に向かう方向となっている。具体的には、第１壁１１０の法線方向を水平方向に向けた状態で空気冷却装置１０が配置されており、その結果として流路ＦＰが上下方向に伸びている。
【００４３】
この変形例における第２壁１２０は、その−ｘ方向側の面１２１の法線方向を、−ｚ方向側に傾斜させた状態で配置されている。つまり、第２壁１２０は、第１壁１１０との距離（つまり空間ＳＰの高さ）がｚ方向側に行くほど小さくなるよう、第１壁１１０に対して傾斜した状態で配置されている。尚、図５においては、説明の便宜のために第２壁１２０の傾斜が誇張して描かれている。第２壁１２０が第１壁１１０に対してなす傾斜角度は、実際には図５に示される傾斜角度よりも小さい。
【００４４】
フィン１４０の−ｘ方向側の端面１４１は、第１壁１１０に対して平行な面となっている。このため、端面１４１と面１２１との距離、すなわちフィン１４０の高さは、下方側（−ｚ方向側）で最も大きくなっており、上方側（ｚ方向側）で最も小さくなっている。
【００４５】
上記のようなフィン１４０の高さは、「流路ＦＰの高さ」ともいうことができる。図５に示されるように、下方側端部における流路ＦＰの高さＨ１１は、上方側端部における流路ＦＰの高さＨ１２よりも大きい。
【００４６】
空気冷却装置１０が図５のように配置された場合には、流路ＦＰで生じる凝縮水ＷＴは、重力によって下方側に移動する傾向があるため、流路ＦＰのうち下方側の部分（以下では「下方部４１１」とも称する）において多く貯留されやすい。ただし、下方部４１１においては流路ＦＰの高さが高くなっているので、空気が通過し得る空間が広く確保されている。
【００４７】
このように、この変形例では、下方部４１１における流路断面積が、その他の部分における流路断面積よりも大きくなっているので、凝縮水ＷＴによって空気の流れが妨げられてしまうことが防止されている。つまり、凝縮水ＷＴに起因した通風抵抗の増加が抑制されている。
【００４８】
このように形成された下方部４１１は、この変形例における「通風路確保部」に該当する。尚、この変形例では、下方側に行くに従って流路ＦＰの流路断面積が次第に大きくなっている。このような構成においては、流路ＦＰのうち下方部４１１とそれ以外の部分との間の境界を明確に定めることはできないのであるが、例えば、流路ＦＰのうちｚ方向における中央よりも下方側の部分を、下方部４１１（通風路確保部）とみなすことができる。
【００４９】
第２実施形態について、図６を参照しながら説明する。以下では、第１実施形態と異なる点について主に説明し、第１実施形態と共通する点については適宜説明を省略する。
【００５０】
図６に示されるのは、本実施形態に係る空気冷却装置１０の構造を示す断面図であって、図４に対応する断面を描いたものである。本実施形態では、第２壁１２０と第１壁１１０とが互いに平行となっており、第２壁１２０の上面１２１が水平面に沿っている。一方、それぞれのフィン１４０の上端面１４１は、その法線方向を−ｘ方向側に傾斜させた状態となっている。
【００５１】
このため、上端面１４１と上面１２１との距離、すなわちフィン１４０の高さは、本実施形態においても空気の流れ方向における上流側（−ｘ方向側）で最も小さくなっており、空気の流れ方向における下流側（ｘ方向側）で最も大きくなっている。
【００５２】
上記のようなフィン１４０の高さは、「流路ＦＰの高さ」ともいうことができる。図６に示されるように、ｘ方向側端部における流路ＦＰの高さＨ２２は、−ｘ方向側端部における流路ＦＰの高さＨ２１よりも大きい。
【００５３】
流路ＦＰのうち空気の流れ方向における下流側の部分、すなわち、第１実施形態の「下流部４１０」に対応する部分のことを、本実施形態では「下流部４２０」と称する。
【００５４】
本実施形態でも、フィン１４０の表面で生じた凝縮水ＷＴは、流路ＦＰのうちｘ方向側の部分、すなわち下流部４２０において多く貯留されやすい。その結果、下流部４２０においては、流路ＦＰのうち第２壁１２０寄りの部分が、凝縮水ＷＴによって塞がれた状態となっている。ただし、下流部４２０においては流路ＦＰの高さが高くなっているので、凝縮水ＷＴよりも上方側部分では、空気が通過し得る空間が広く確保されている。
【００５５】
図６に示される一点鎖線ＤＬ２は、上面１２１のうち−ｘ方向側の端部を通り、且つ上端面１４１と平行な仮想的な平面を表している。流路ＦＰにおいて生じた凝縮水ＷＴは、上記のようにその多くが（流路断面積の大きい）下流部４２０に貯留される。従って、多くの場合、流路ＦＰのうち一点鎖線ＤＬ２よりも上方側の部分では、凝縮水ＷＴによって流路ＦＰが塞がれた状態とはならず、空気が通過し得る空間が確保される。
【００５６】
このように、本実施形態では、下流部４２０における流路断面積が、その他の部分における流路断面積よりも大きくなっているので、凝縮水ＷＴによって空気の流れが妨げられてしまうことが防止されている。つまり、凝縮水ＷＴに起因した通風抵抗の増加が抑制されている。
【００５７】
このように形成された下流部４２０は、本実施形態における「通風路確保部」に該当する。尚、本実施形態では、空気の流れ方向における下流側に行くに従って流路ＦＰの流路断面積が次第に大きくなっている。このような構成においては、流路ＦＰのうち下流部４２０とそれ以外の部分との間の境界を明確に定めることはできないのであるが、例えば、流路ＦＰのうちｘ方向における中央よりも下流側の部分を、下流部４２０（通風路確保部）とみなすことができる。
【００５８】
第２実施形態の変形例について、図７を参照しながら説明する。この変形例では、流路ＦＰを空気が流れる方向が、ｚ方向、すなわち下方側から上方側に向かう方向となっている。具体的には、第１壁１１０の法線方向を水平方向に向けた状態で空気冷却装置１０が配置されており、その結果として流路ＦＰが上下方向に伸びている。
【００５９】
この変形例では、第２壁１２０と第１壁１１０とが互いに平行となっている。一方、それぞれのフィン１４０の−ｘ方向側の端面１４１は、その法線方向をｚ方向側に傾斜させた状態となっている。
【００６０】
このため、端面１４１と、第２壁１２０の−ｘ方向側の面１２１との距離、すなわちフィン１４０の高さは、下方側（−ｚ方向側）で最も大きくなっており、上方側（ｚ方向側）で最も小さくなっている。
【００６１】
上記のようなフィン１４０の高さは、「流路ＦＰの高さ」ともいうことができる。図７に示されるように、下方側端部における流路ＦＰの高さＨ２１は、上方側端部における流路ＦＰの高さＨ２２よりも大きい。
【００６２】
空気冷却装置１０が図７のように配置された場合には、流路ＦＰで生じる凝縮水ＷＴは、重力によって下方側に移動する傾向があるため、流路ＦＰのうち下方側の部分（以下では「下方部４２１」とも称する）において多く貯留されやすい。ただし、下方部４２１においては流路ＦＰの高さが高くなっているので、空気が通過し得る空間が広く確保されている。
【００６３】
このように、この変形例では、下方部４２１における流路断面積が、その他の部分における流路断面積よりも大きくなっているので、凝縮水ＷＴによって空気の流れが妨げられてしまうことが防止されている。つまり、凝縮水ＷＴに起因した通風抵抗の増加が抑制されている。
【００６４】
このように形成された下方部４２１は、この変形例における「通風路確保部」に該当する。尚、この変形例では、下方側に行くに従って流路ＦＰの流路断面積が次第に大きくなっている。このような構成においては、流路ＦＰのうち下方部４２１とそれ以外の部分との間の境界を明確に定めることはできないのであるが、例えば、流路ＦＰのうちｚ方向における中央よりも下方側の部分を、下方部４２１（通風路確保部）とみなすことができる。
【００６５】
第３実施形態について、図８を参照しながら説明する。以下では、第１実施形態と異なる点について主に説明し、第１実施形態と共通する点については適宜説明を省略する。
【００６６】
図８に示されるのは、本実施形態に係る空気冷却装置１０の構造を示す断面図であって、図４に対応する断面を描いたものである。本実施形態では、第２壁１２０の全体が平板状とはなっていない。第２壁１２０は、上流部１２０ａと、下流部１２０ｂと、接続部１２０ｃとを有している。
【００６７】
上流部１２０ａは、第２壁１２０のうちｘ方向における中央となる位置よりも上流側、すなわち−ｘ方向側の部分である。上流部１２０ａにおいては上面１２１が水平面に沿っている。
【００６８】
下流部１２０ｂは、第２壁１２０のうちｘ方向における中央となる位置よりも下流側、すなわちｘ方向側の部分である。下流部１２０ｂにおいても上面１２１が水平面に沿っている。ただし、下流部１２０ｂは、上流部１２０ａよりも−ｚ方向側となる位置に配置されている。
【００６９】
接続部１２０ｃは、上流部１２０ａのうちｘ方向側の端部と、下流部１２０ｂのうち−ｘ方向側の端部とを接続する部分である。
【００７０】
以上のような構成においては、下流部１２０ｂにおけるフィン１４０の高さが、上流部１２０ａにおけるフィン１４０の高さよりも高くなっている。上記のようなフィン１４０の高さは、「流路ＦＰの高さ」ともいうことができる。図８に示されるように、下流側における流路ＦＰの高さＨ３２は、上流側における流路ＦＰの高さＨ３１よりも大きい。
【００７１】
本実施形態では、空気の流れ方向における下流側に行くに従って流路ＦＰの高さ及び流路断面積が次第に大きくなる第１実施形態（図４）や第２実施形態（図６）とは異なり、流路ＦＰの高さ及び流路断面積が段階的に大きくなるように構成されている。図８では、流路断面積が段階的に大きくなるような箇所、すなわち、上流部１２０ａと下流部１２０ｂとの境界となる箇所が点線ＤＬ３で示されている。
【００７２】
流路ＦＰのうち点線ＤＬ３よりも下流側（ｘ方向側）の部分のことを、本実施形態では「下流部４３０」と称する。下流部４３０は、本実施形態における「通風路確保部」に該当する。
【００７３】
本実施形態のように、空気の流れ方向における下流側に行くに従って、流路ＦＰの高さ及び流路断面積が連続的ではなく段階的に大きくなるような態様であっても、第１実施形態や第２実施形態について説明したものと同様の効果を奏する。すなわち、流路断面積の大きい下流部４３０（通風路確保部）が形成されていることにより、凝縮水ＷＴに起因した通風抵抗の増加が抑制される。
【００７４】
第３実施形態の変形例について、図９を参照しながら説明する。この変形例では、流路ＦＰを空気が流れる方向が、ｚ方向、すなわち下方側から上方側に向かう方向となっている。具体的には、第１壁１１０の法線方向を水平方向に向けた状態で空気冷却装置１０が配置されており、その結果として流路ＦＰが上下方向に伸びている。
【００７５】
この変形例における上流部１２０ａは、第２壁１２０のうちｚ方向における中央となる位置よりも上流側、すなわち下方側の部分である。上流部１２０ａにおいては第１壁１１０と第２壁１２０とが平行となっている。
【００７６】
この変形例における下流部１２０ｂは、第２壁１２０のうちｚ方向における中央となる位置よりも下流側、すなわち上方側の部分である。下流部１２０ｂにおいても第１壁１１０と第２壁１２０とが平行となっている。ただし、下流部１２０ｂは、上流部１２０ａよりも−ｘ方向側となる位置に配置されている。
【００７７】
以上のような構成においては、上流部１２０ａにおけるフィン１４０の高さが、下流部１２０ｂにおけるフィン１４０の高さよりも高くなっている。上記のようなフィン１４０の高さは、「流路ＦＰの高さ」ともいうことができる。図９に示されるように、下方側における流路ＦＰの高さＨ３１は、上方側における流路ＦＰの高さＨ３２よりも大きい。
【００７８】
この変形例では、下方側に行くに従って流路ＦＰの高さ及び流路断面積が次第に大きくなる第１実施形態の変形例（図５）や第２実施形態の変形例（図７）とは異なり、流路ＦＰの高さ及び流路断面積が段階的に大きくなるように構成されている。図９では、流路断面積が段階的に大きくなるような箇所、すなわち、上流部１２０ａと下流部１２０ｂとの境界となる箇所が点線ＤＬ３で示されている。
【００７９】
流路ＦＰのうち点線ＤＬ３よりも下方側（−ｚ方向側）の部分のことを、この変形例では「下方部４３１」と称する。下方部４３１は、この変形例における「通風路確保部」に該当する。
【００８０】
この変形例のように、下方側に行くに従って、流路ＦＰの高さ及び流路断面積が連続的ではなく段階的に大きくなるような態様であっても、第１実施形態の変形例（図５）や第２実施形態の変形例（図７）について説明したものと同様の効果を奏する。すなわち、流路断面積の大きい下方部４３１（通風路確保部）が形成されていることにより、凝縮水ＷＴに起因した通風抵抗の増加が抑制される。
【００８１】
第４実施形態について、図１０を参照しながら説明する。以下では、第１実施形態と異なる点について主に説明し、第１実施形態と共通する点については適宜説明を省略する。
【００８２】
図１０では、本実施形態に係る空気冷却装置１０の一部が上面視で描かれている。同図に示されるように、本実施形態では、フィン１４０の厚さ（ｙ方向に沿った寸法）が全体で一様とはなっていない。それぞれのフィン１４０の厚さは、空気の流れ方向における上流側において最も大きくなっており、下流側に行くほど大きくなっている。ｘ方向側端部におけるフィン１４０の厚さＷ１２は、−ｘ方向側端部におけるフィン１４０の厚さＷ１１よりも小さい。
【００８３】
それぞれのフィン１４０が上記のように形成されていることにより、隣り合うフィン１４０同士の間に形成された流路ＦＰの幅（ｙ方向に沿った寸法）は、上流側において最も小さくなっており、下流側に行くほど小さくなっている。ｘ方向側端部における流路ＦＰの幅Ｗ２２は、−ｘ方向側端部における流路ＦＰの幅Ｗ２１よりも大きい。
【００８４】
その結果、本実施形態においても、流路ＦＰのうち空気の流れ方向における下流側の部分（以下では、「下流部４４０」とも称する）の流路断面積は、流路ＦＰの他の部分、すなわち上流側の部分における流路断面積よりも大きくなっている。
【００８５】
図１０には、流路ＦＰにおいて凝縮水ＷＴが生じた状態が模式的に示されている。凝縮水ＷＴは、空気の流れによってｘ方向側に押し流される傾向があるため、流路ＦＰのうちｘ方向側の部分、すなわち下流部４４０において多く貯留されやすい。また、凝縮水ＷＴの殆どはフィン１４０の表面に付着した状態となる。
【００８６】
その結果、下流部４４０においては、流路ＦＰのうちフィン１４０寄りの部分が、凝縮水ＷＴによって塞がれた状態となっている。ただし、下流部４４０においては流路ＦＰの幅が大きくなっているので、流路ＦＰのｙ方向における中央部分では、空気が通過し得る空間が広く確保されている。
【００８７】
このように、本実施形態では、下流部４４０における流路断面積が、その他の部分における流路断面積よりも大きくなっているので、凝縮水ＷＴによって空気の流れが妨げられてしまうことが防止されている。つまり、凝縮水ＷＴに起因した通風抵抗の増加が抑制されている。
【００８８】
このように形成された下流部４４０は、本実施形態における「通風路確保部」に該当する。尚、本実施形態では、空気の流れ方向における下流側に行くに従って流路ＦＰの流路断面積が次第に大きくなっている。このような構成においては、流路ＦＰのうち下流部４４０とそれ以外の部分との間の境界を明確に定めることはできないのであるが、例えば、流路ＦＰのうちｘ方向における中央よりも下流側の部分を、下流部４４０（通風路確保部）とみなすことができる。
【００８９】
本実施形態では、下流部４４０における流路ＦＰの幅を大きくすることにより、第１実施形態で説明したものと同様の効果を得ている。このような態様に替えて、下流部４４０における流路ＦＰの幅及び高さの両方を大きくすることとしてもよい。
【００９０】
第４実施形態の変形例について、図１１を参照しながら説明する。この変形例では、流路ＦＰを空気が流れる方向が、ｚ方向、すなわち下方側から上方側に向かう方向となっている。具体的には、第１壁１１０の法線方向を水平方向に向けた状態で空気冷却装置１０が配置されており、その結果として流路ＦＰが上下方向に伸びている。
【００９１】
この変形例でも、フィン１４０の厚さ（ｙ方向に沿った寸法）が全体で一様とはなっていない。それぞれのフィン１４０の厚さは、上方側において最も大きくなっており、下流側に行くほど小さくなっている。下方側端部におけるフィン１４０の厚さＷ１１は、上方側端部におけるフィン１４０の厚さＷ１２よりも小さい。
【００９２】
それぞれのフィン１４０が上記のように形成されていることにより、隣り合うフィン１４０同士の間に形成された流路ＦＰの幅（ｙ方向に沿った寸法）は、上方側において最も小さくなっており、下方側に行くほど大きくなっている。下方側端部における流路ＦＰの幅Ｗ２１は、上方側端部における流路ＦＰの幅Ｗ２２よりも大きい。
【００９３】
その結果、この変形例においても、流路ＦＰのうち下方側の部分（以下では、「下方部４４１」とも称する）の流路断面積は、流路ＦＰの他の部分、すなわち上方側の部分における流路断面積よりも大きくなっている。
【００９４】
このような態様であっても、第１実施形態の変形例（図５）等について説明したものと同様の効果を奏する。すなわち、流路断面積の大きい下方部４４１が形成されていることにより、凝縮水ＷＴに起因した通風抵抗の増加が抑制される。
【００９５】
このように形成された下方部４４１は、この変形例における「通風路確保部」に該当する。尚、この変形例では、下方側に行くに従って流路ＦＰの流路断面積が次第に大きくなっている。このような構成においては、流路ＦＰのうち下方部４４１とそれ以外の部分との間の境界を明確に定めることはできないのであるが、例えば、流路ＦＰのうちｚ方向における中央よりも下方側の部分を、下方部４４１（通風路確保部）とみなすことができる。
【００９６】
この変形例では、下方部４４１における流路ＦＰの幅を大きくすることにより、第１実施形態で説明したものと同様の効果を得ている。このような態様に替えて、下方部４４１における流路ＦＰの幅及び高さの両方を大きくすることとしてもよい。
【００９７】
第５実施形態について、図１２を参照しながら説明する。以下では、第１実施形態と異なる点について主に説明し、第１実施形態と共通する点については適宜説明を省略する。
【００９８】
図１２では、本実施形態に係る空気冷却装置１０の一部が上面視で描かれている。本実施形態では、一点鎖線ＤＬ４で示される位置、すなわちｘ方向における中央位置よりもｘ方向側（下流側）におけるフィン１４０の厚さＷ１２が、一点鎖線ＤＬ４よりも−ｘ方向側（上流側）におけるフィン１４０の厚さＷ１１よりも小さくなっている。
【００９９】
それぞれのフィン１４０が上記のように形成されていることにより、一点鎖線ＤＬ４よりもｘ方向側（下流側）における流路ＦＰの幅Ｗ２２は、一点鎖線ＤＬ４よりも−ｘ方向側（上流側）における流路ＦＰの幅Ｗ２１よりも大きくなっている。
【０１００】
本実施形態では、空気の流れ方向における下流側に行くに従って流路ＦＰの幅及び流路断面積が次第に大きくなる第４実施形態（図１０）とは異なり、流路ＦＰの幅及び流路断面積が段階的に大きくなるように構成されている。流路ＦＰのうち一点鎖線ＤＬ４よりも下流側（ｘ方向側）の部分のことを、本実施形態では「下流部４５０」と称する。下流部４５０は、本実施形態における「通風路確保部」に該当する。
【０１０１】
本実施形態のように、空気の流れ方向における下流側に行くに従って、流路ＦＰの幅及び流路断面積が連続的ではなく段階的に大きくなるような態様であっても、第４実施形態について説明したものと同様の効果を奏する。すなわち、流路断面積の大きい下流部４５０（通風路確保部）が形成されていることにより、凝縮水ＷＴに起因した通風抵抗の増加が抑制される。
【０１０２】
第５実施形態の変形例について、図１３を参照しながら説明する。この変形例では、流路ＦＰを空気が流れる方向が、ｚ方向、すなわち下方側から上方側に向かう方向となっている。具体的には、第１壁１１０の法線方向を水平方向に向けた状態で空気冷却装置１０が配置されており、その結果として流路ＦＰが上下方向に伸びている。
【０１０３】
この変形例では、一点鎖線ＤＬ４で示される位置、すなわちｚ方向における中央位置よりも下方側におけるフィン１４０の厚さＷ１１が、一点鎖線ＤＬ４よりも上方側におけるフィン１４０の厚さＷ１２よりも小さくなっている。
【０１０４】
それぞれのフィン１４０が上記のように形成されていることにより、一点鎖線ＤＬ４よりも下方側における流路ＦＰの幅Ｗ２１は、一点鎖線ＤＬ４よりも上方側における流路ＦＰの幅Ｗ２２よりも大きくなっている。
【０１０５】
この変形例では、下方側に行くに従って流路ＦＰの幅及び流路断面積が次第に大きくなる第４実施形態の変形例（図１１）とは異なり、流路ＦＰの幅及び流路断面積が段階的に大きくなるように構成されている。流路ＦＰのうち一点鎖線ＤＬ４よりも下方側の部分のことを、この変形例では「下方部４５１」と称する。下方部４５１は、この変形例における「通風路確保部」に該当する。
【０１０６】
この変形例のように、下方側に行くに従って、流路ＦＰの幅及び流路断面積が連続的ではなく段階的に大きくなるような態様であっても、第４実施形態の変形例について説明したものと同様の効果を奏する。すなわち、流路断面積の大きい下方部４５１（通風路確保部）が形成されていることにより、凝縮水ＷＴに起因した通風抵抗の増加が抑制される。
【０１０７】
第６実施形態について、図１４及び図１５を参照しながら説明する。以下では、第１実施形態と異なる点について主に説明し、第１実施形態と共通する点については適宜説明を省略する。
【０１０８】
本実施形態では、第２壁１２０と第１壁１１０とが互いに平行となっており、第２壁１２０の上面１２１が水平面に沿っている。この点については、図６に示される第２実施形態と同様である。また、それぞれのフィン１４０の高さは、全体で一様となっている。このため、フィン１４０の上端面１４１は、上面１２１と同様に水平面に沿っている。
【０１０９】
本実施形態では、フィン１４０の側面に凹状の溝４６０が複数形成されている。溝４６０は、フィン１４０のうち−ｙ方向側の表面及びｙ方向側の表面のそれぞれに、３本ずつ形成されている。それぞれの溝４６０は、その長手方向がｚ方向、すなわち鉛直方向に沿っている。また、それぞれの溝４６０は、その下端がフィン１４０と第２壁１２０との境界となる位置まで伸びている。
【０１１０】
このような溝４６０が形成されたフィン１４０の表面において凝縮水ＷＴが生じると、当該凝縮水ＷＴは、フィン１４０の表面（ただし、溝４６０とは異なる部分）に付着した状態のまま、空気の流れによってｘ方向側に移動する。図１４では、このように凝縮水ＷＴの移動する方向が矢印ＡＲ１で示されている。
【０１１１】
フィン１４０の表面を上記のように移動した凝縮水ＷＴは、最終的には溝４６０に到達し、溝４６０において捕捉される。その後、凝縮水ＷＴは、溝４６０に沿って−ｚ方向側に移動して、第２壁１２０の上面１２１に到達する。図１４では、このように凝縮水ＷＴの移動する方向が矢印ＡＲ２で示されている。
【０１１２】
本実施形態では、フィン１４０で生じたそれぞれの凝縮水ＷＴ（水滴）が上記のように移動し、溝４６０によって捕捉され下方側に排出される。このため、流路ＦＰのうち上面１２１よりも高い位置においては、水滴である凝縮水ＷＴがフィン１４０の表面に留まりにくくなっている。その結果、流路ＦＰにおける空気の流れが、多くの水滴によって妨げられてしまうことが防止されている。このように、凝縮水ＷＴを下方側に排出する機能を有する溝４６０は、本実施形態における「通風路確保部」に該当する。
【０１１３】
第６実施形態の変形例について、図１６を参照しながら説明する。この変形例では、流路ＦＰを空気が流れる方向が、ｚ方向、すなわち下方側から上方側に向かう方向となっている。具体的には、第１壁１１０の法線方向を水平方向に向けた状態で空気冷却装置１０が配置されており、その結果として流路ＦＰが上下方向に伸びている。
【０１１４】
この変形例でも、図１４に示される第６実施形態と同様に、フィン１４０の側面に凹状の溝４６０が複数形成されている。溝４６０は、フィン１４０のうち−ｙ方向側の表面及びｙ方向側の表面のそれぞれに、３本ずつ形成されている。
【０１１５】
この変形例では、それぞれの溝４６０の長手方向が、ｚ方向、すなわち鉛直方向に対して傾斜している。具体的には、−ｚ方向側に行くほど第２壁１２０の−ｘ方向側の面１２１に近づくように傾斜している。また、それぞれの溝４６０は、その端部がフィン１４０と第２壁１２０との境界となる位置まで伸びている。
【０１１６】
このような溝４６０が形成されたフィン１４０の表面において凝縮水ＷＴが生じると、当該凝縮水ＷＴは、フィン１４０の表面（ただし、溝４６０とは異なる部分）に付着した状態のまま、重力によって下方側に移動する。図１６では、このように凝縮水ＷＴの移動する方向が矢印ＡＲ１で示されている。
【０１１７】
フィン１４０の表面を上記のように移動した凝縮水ＷＴは、最終的には溝４６０に到達し、溝４６０において捕捉される。その後、凝縮水ＷＴは、溝４６０に沿って下方側に移動して、第２壁１２０の面１２１に到達する。図１６では、このように凝縮水ＷＴの移動する方向が矢印ＡＲ２で示されている。
【０１１８】
この変形例では、フィン１４０で生じたそれぞれの凝縮水ＷＴ（水滴）が上記のように移動し、溝４６０によって捕捉され面１２１側に排出される。このため、流路ＦＰのうち面１２１よりも−ｘ方向側の位置においては、水滴である凝縮水ＷＴがフィン１４０の表面に留まりにくくなっている。その結果、流路ＦＰにおける空気の流れが、多くの水滴によって妨げられてしまうことが防止されている。このように、凝縮水ＷＴを面１２１側に排出する機能を有する溝４６０は、この変形例における「通風路確保部」に該当する。
【０１１９】
尚、図１４に示されるような構成、すなわち、流路ＦＰが水平方向に伸びている構成においても、それぞれの溝４６０の長手方向を、ｚ方向、すなわち鉛直方向に対して傾斜させてもよい。この場合、−ｚ方向側に行くほど凝縮水ＷＴの排出方向（図１４ではｘ方向）近づくよう、溝４６０を傾斜させることが好ましい。
【０１２０】
第７実施形態について、図１７を参照しながら説明する。以下では、第１実施形態と異なる点について主に説明し、第１実施形態と共通する点については適宜説明を省略する。
【０１２１】
図１７に示されるのは、本実施形態に係る空気冷却装置１０の構造を示す断面図であって、図４に対応する断面を描いたものである。ただし、図１７では蓋２２０の断面も描かれている。
【０１２２】
本実施形態では、第２壁１２０と第１壁１１０とが互いに平行となっており、第２壁１２０の上面１２１が水平面に沿っている。この点については、図６に示される第２実施形態と同様である。また、それぞれのフィン１４０の高さは、全体で一様となっている。このため、フィン１４０の上端面１４１は、上面１２１と同様に水平面に沿っている。
【０１２３】
図１７では、フィン１４０のｘ方向側端部となる位置、すなわち空気の流れ方向における下流側端部となる位置が、一点鎖線ＤＬ５で示されている。本実施形態では、第１壁１１０及び第２壁１２０の両方が、一点鎖線ＤＬ５よりも更にｘ方向側（下流側）となる位置まで伸びるように形成されている。
【０１２４】
図１７では、第２壁１２０の上面１２１のうち、一点鎖線ＤＬ５よりもｘ方向側の部分が、露出面Ｓ１１として示されている。また、蓋２２０のうちｘ方向側の面が、露出面Ｓ１２として示されている。
【０１２５】
図１７では、フィン１４０の表面において生じた凝縮水ＷＴのうち、一点鎖線ＤＬ５よりも−ｘ方向側に滞留しているもの、すなわちフィン１４０の間に挟まれた状態となっているもののみが図示されている。このような状態の凝縮水ＷＴは、外部に開放されている一点鎖線ＤＬ５の近傍において、表面張力によって外部に引き出されるような力を受ける。
【０１２６】
一点鎖線ＤＬ５の近傍においては、凝縮水ＷＴは露出面Ｓ１１に接触しているので、露出面Ｓ１１によってｘ方向に引き出されるような力を受ける。図１７では、凝縮水ＷＴが受ける当該力が矢印ＡＲ３で示されている。また、上記のような力によって露出面Ｓ１１に引き出された凝縮水は、更に露出面Ｓ１２によって−ｚ方向に引き出されるような力を受ける。図１７では、凝縮水ＷＴが受ける当該力が矢印ＡＲ４で示されている。
【０１２７】
第１実施形態（図１）のように露出面Ｓ１１が形成されていないような構成においては、凝縮水ＷＴには概ね矢印ＡＲ４で示される力のみが加えられ、矢印ＡＲ３で示される力はほとんど加えられない。本実施形態では、露出面Ｓ１１が形成されていることによって、凝縮水ＷＴに加えられる力が大きくなっており、ｘ方向側に向けた凝縮水ＷＴの排出が促進される。
【０１２８】
第２壁１２０のうち露出面Ｓ１１が形成されている部分、すなわち一点鎖線ＤＬ５よりもｘ方向側の部分のことを、以下では突出部４７０とも称する。突出部４７０は、第２壁１２０のうち空気の流れ方向における下流側の部分であって、フィン１４０のうち空気の流れ方向における下流側の端部よりも、更に下流側となる位置まで伸びるように形成された部分となっている。
【０１２９】
本実施形態では、突出部４７０が形成されていることにより凝縮水ＷＴの排出が促進されるので、流路ＦＰに凝縮水ＷＴが滞留しにくくなっている。その結果、流路ＦＰにおける空気の流れが妨げられてしまうことが防止される。このような突出部４７０は、本実施形態における「通風路確保部」に該当する。
【０１３０】
第７実施形態の変形例について、図１８を参照しながら説明する。この変形例では、流路ＦＰを空気が流れる方向が、ｚ方向、すなわち下方側から上方側に向かう方向となっている。具体的には、第１壁１１０の法線方向を水平方向に向けた状態で空気冷却装置１０が配置されており、その結果として流路ＦＰが上下方向に伸びている。
【０１３１】
この変形例でも、第２壁１２０と第１壁１１０とが互いに平行となっている。また、それぞれのフィン１４０の高さは、全体で一様となっている。このため、フィン１４０の−ｘ方向側の端面１４１は、第２壁１２０の−ｘ方向側の面１２１に対し平行となっている。
【０１３２】
図１８では、フィン１４０の下方側端部となる位置が一点鎖線ＤＬ５で示されている。この変形例では、第１壁１１０及び第２壁１２０の両方が、一点鎖線ＤＬ５よりも更に下方側となる位置まで伸びるように形成されている。
【０１３３】
図１８では、第２壁１２０の−ｘ方向側の面１２１のうち、一点鎖線ＤＬ５よりも下方側の部分が、露出面Ｓ１１として示されている。また、蓋２２０のうち下方側の面が、露出面Ｓ１２として示されている。
【０１３４】
図１８では、フィン１４０の表面において生じた凝縮水ＷＴのうち、一点鎖線ＤＬ５よりも上方側に滞留しているもの、すなわちフィン１４０の間に挟まれた状態となっているもののみが図示されている。このような状態の凝縮水ＷＴは、外部に開放されている一点鎖線ＤＬ５の近傍において、表面張力によって外部に引き出されるような力を受ける。
【０１３５】
一点鎖線ＤＬ５の近傍においては、凝縮水ＷＴは露出面Ｓ１１に接触しているので、露出面Ｓ１１によって下方側に引き出されるような力を受ける。図１８では、凝縮水ＷＴが受ける当該力が矢印ＡＲ３で示されている。また、上記のような力によって露出面Ｓ１１に引き出された凝縮水は、更に露出面Ｓ１２によってｘ方向に引き出されるような力を受ける。図１８では、凝縮水ＷＴが受ける当該力が矢印ＡＲ４で示されている。
【０１３６】
この変形例でも、露出面Ｓ１１が形成されていることによって、凝縮水ＷＴに加えられる力が大きくなっており、下方側に向けた凝縮水ＷＴの排出が促進される。
【０１３７】
第２壁１２０のうち露出面Ｓ１１が形成されている部分、すなわち一点鎖線ＤＬ５よりも下方側の部分のことを、以下では「突出部４７１」とも称する。突出部４７１は、第２壁１２０のうち下方側の部分であって、フィン１４０の下方側の端部よりも、更に下方側となる位置まで伸びるように形成された部分となっている。
【０１３８】
この変形例では、突出部４７１が形成されていることにより凝縮水ＷＴの排出が促進されるので、流路ＦＰに凝縮水ＷＴが滞留しにくくなっている。その結果、流路ＦＰにおける空気の流れが妨げられてしまうことが防止される。このような突出部４７１は、この変形例における「通風路確保部」に該当する。
【０１３９】
第８実施形態について、図１９を参照しながら説明する。以下では、第１実施形態と異なる点について主に説明し、第１実施形態と共通する点については適宜説明を省略する。
【０１４０】
図１９に示されるのは、本実施形態に係る空気冷却装置１０の構造を示す断面図であって、図４に対応する断面を描いたものである。ただし、図１９では蓋２２０の断面も描かれている。
【０１４１】
本実施形態では、第２壁１２０と第１壁１１０とが互いに平行となっており、第２壁１２０の上面１２１が水平面に沿っている。この点については、図６に示される第２実施形態と同様である。また、それぞれのフィン１４０の高さは、全体で一様となっている。このため、フィン１４０の上端面１４１は、上面１２１と同様に水平面に沿っている。
【０１４２】
図１９では、第２壁１２０のｘ方向側端部となる位置、すなわち空気の流れ方向における下流側端部となる位置が、一点鎖線ＤＬ６で示されている。本実施形態では、それぞれのフィン１４０が、一点鎖線ＤＬ６よりも更にｘ方向側（下流側）となる位置まで伸びるように形成されている。
【０１４３】
図１９では、フィン１４０の−ｚ方向側における端面のうち、一点鎖線ＤＬ６よりもｘ方向側の部分が、露出面Ｓ２１として示されている。また、蓋２２０のうちｘ方向側の面が、露出面Ｓ２２として示されている。
【０１４４】
図１９では、フィン１４０の表面において生じた凝縮水ＷＴのうち、一点鎖線ＤＬ６よりも−ｘ方向側に滞留しているもの、すなわちフィン１４０の間に挟まれた状態となっているもののみが図示されている。このような状態の凝縮水ＷＴは、外部に開放されている一点鎖線ＤＬ６の近傍において、表面張力によって外部に引き出されるような力を受ける。
【０１４５】
一点鎖線ＤＬ６の近傍においては、凝縮水ＷＴは蓋２２０の上面を介して露出面Ｓ２１に接触しているので、露出面Ｓ２１によってｘ方向に引き出されるような力を受ける。図１９では、凝縮水ＷＴが受ける当該力が矢印ＡＲ５で示されている。また、上記のような力によって露出面Ｓ２１に引き出された凝縮水は、更に露出面Ｓ２２によって−ｚ方向に引き出されるような力を受ける。図１９では、凝縮水ＷＴが受ける当該力が矢印ＡＲ６で示されている。
【０１４６】
第１実施形態（図１）のように露出面Ｓ２１が形成されていないような構成においては、凝縮水ＷＴには概ね矢印ＡＲ６で示される力のみが加えられ、矢印ＡＲ５で示される力はほとんど加えられない。本実施形態では、露出面Ｓ２１が形成されていることによって、凝縮水ＷＴに加えられる力が大きくなっており、ｘ方向側に向けた凝縮水ＷＴの排出が促進される。
【０１４７】
フィン１４０のうち露出面Ｓ２１が形成されている部分、すなわち一点鎖線ＤＬ６よりもｘ方向側の部分のことを、以下では突出部４８０とも称する。突出部４８０は、フィン１４０のうち空気の流れ方向における下流側の部分であって、第２壁１２０のうち空気の流れ方向における下流側の端部よりも、更に下流側となる位置まで伸びるように形成された部分となっている。
【０１４８】
本実施形態では、突出部４８０が形成されていることにより凝縮水ＷＴの排出が促進されるので、流路ＦＰに凝縮水ＷＴが滞留しにくくなっている。その結果、流路ＦＰにおける空気の流れが妨げられてしまうことが防止される。このような突出部４８０は、本実施形態における「通風路確保部」に該当する。
【０１４９】
第８実施形態の変形例について、図２０を参照しながら説明する。この変形例では、流路ＦＰを空気が流れる方向が、ｚ方向、すなわち下方側から上方側に向かう方向となっている。具体的には、第１壁１１０の法線方向を水平方向に向けた状態で空気冷却装置１０が配置されており、その結果として流路ＦＰが上下方向に伸びている。
【０１５０】
この変形例でも、第２壁１２０と第１壁１１０とが互いに平行となっている。また、それぞれのフィン１４０の高さは、全体で一様となっている。このため、フィン１４０の−ｘ方向側の端面１４１は、第２壁１２０の−ｘ方向側の面１２１に対し平行となっている。
【０１５１】
図２０では、第２壁１２０の下方側端部となる位置が一点鎖線ＤＬ６で示されている。この変形例では、それぞれのフィン１４０が、一点鎖線ＤＬ６よりも更に下方側となる位置まで伸びるように形成されている。
【０１５２】
図２０では、フィン１４０のｘ方向側における端面のうち、一点鎖線ＤＬ６よりも下方側の部分が、露出面Ｓ２１として示されている。また、蓋２２０のうち下方側の面が、露出面Ｓ２２として示されている。
【０１５３】
図２０では、フィン１４０の表面において生じた凝縮水ＷＴのうち、一点鎖線ＤＬ６よりも上方側に滞留しているもの、すなわちフィン１４０の間に挟まれた状態となっているもののみが図示されている。このような状態の凝縮水ＷＴは、外部に開放されている一点鎖線ＤＬ６の近傍において、表面張力によって外部に引き出されるような力を受ける。
【０１５４】
一点鎖線ＤＬ６の近傍においては、凝縮水ＷＴは蓋２２０の表面を介して露出面Ｓ２１に接触しているので、露出面Ｓ２１によって下方側に引き出されるような力を受ける。図２０では、凝縮水ＷＴが受ける当該力が矢印ＡＲ５で示されている。また、上記のような力によって露出面Ｓ２１に引き出された凝縮水は、更に露出面Ｓ２２によってｘ方向に引き出されるような力を受ける。図２０では、凝縮水ＷＴが受ける当該力が矢印ＡＲ６で示されている。
【０１５５】
この変形例でも、露出面Ｓ１１が形成されていることによって、凝縮水ＷＴに加えられる力が大きくなっており、下方側に向けた凝縮水ＷＴの排出が促進される。
【０１５６】
フィン１４０のうち露出面Ｓ２１が形成されている部分、すなわち一点鎖線ＤＬ６よりも下方側の部分のことを、以下では「突出部４８１」とも称する。突出部４８１は、フィン１４０のうち下方側の部分であって、第２壁１２０の下方側の端部よりも、更に下方側となる位置まで伸びるように形成された部分となっている。
【０１５７】
この変形例では、突出部４８１が形成されていることにより凝縮水ＷＴの排出が促進されるので、流路ＦＰに凝縮水ＷＴが滞留しにくくなっている。その結果、流路ＦＰにおける空気の流れが妨げられてしまうことが防止される。このような突出部４８１は、この変形例における「通風路確保部」に該当する。
【０１５８】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【０１５９】
１０：空気冷却装置
１００：蓄冷容器
１１０：第１壁
１２０：第２壁
１４０：フィン
３００：ペルチェ素子
４１０，４２０，４３０，４４０，４５０：下流部
４６０：溝
４７０，４８０：突出部
ＦＰ：流路
ＰＦ：蓄冷材
【図１】
2018105531.tif 000003
【図２】
2018105531.tif 000004
【図３】
2018105531.tif 000005
【図４】
2018105531.tif 000006
【図５】
2018105531.tif 000007
【図６】
2018105531.tif 000008
【図７】
2018105531.tif 000009
【図８】
2018105531.tif 000010
【図９】
2018105531.tif 000011
【図１０】
2018105531.tif 000012
【図１１】
2018105531.tif 000013
【図１２】
2018105531.tif 000014
【図１３】
2018105531.tif 000015
【図１４】
2018105531.tif 000016
【図１５】
2018105531.tif 000017
【図１６】
2018105531.tif 000018
【図１７】
2018105531.tif 000019
【図１８】
2018105531.tif 000020
【図１９】
2018105531.tif 000021
【図２０】
2018105531.tif 000022